(57)【要約】【課題】片持状態の棹部材が大きな曲げモーメントを受けても、テレスコープ型シリンダーの良好な機能を損なうことがなく身体の不自由な使用者を椅子に乗せたまま浴槽に対して出入りさせる介護用入浴補助具として活用できるテレスコープ型伸縮装置を提供する。【解決手段】棹部材１２は、一端部が取付部１１に片持状態に取り付けられ、他端部が使用者を乗せた椅子１４を荷重部として負担するように設けられている。テレスコープ型シリンダー５の伸縮時、棹部材１２に加わる曲げモーメントをスライダー１０の幅方向に伝えるようにしている。このため、片持状態の棹部材１２が大きな曲げモーメントを受けても、その曲げモーメントは幅広なスライダー１０により十分に受け止められてテレスコープ型シリンダー５の良好な機能を損なうことがなく維持できて介護用入浴補助具として好適である。【選択図】図５
2006158680.tif 000002
【特許請求の範囲】
【請求項１】
互いに径寸法の異なる剛体筒を伸縮自在に重ね合わせたテレスコープ型シリンダーと、  このテレスコープ型シリンダーの端部に取り付けた台座と、
この台座に固定されて前記テレスコープ型シリンダーを囲むように設けられた外套筒と、
前記テレスコープ型シリンダー内に略同軸的に配されたエラストマー製のベローズと、  このベローズの外周に被せられて横方向の膨張変位を抑制する非弾性体製の布筒部と、  前記外套筒の左右前後に取り付けられて軸方向に伸縮変位する幅広なスライダーと、  このスライダーの先端部に取り付けられて、前記テレスコープ型シリンダーの頭部に対向する状態に位置する取付部と、
一端部が前記取付部に片持状態に取り付けられ、他端部が荷重部を負担するように設けられた棹部材と、
前記ベローズ内に対して作動流体を給排するための給排部材とを備え、
前記テレスコープ型シリンダーの伸縮時、前記荷重部により前記棹部材に加わる曲げモーメントを前記スライダーの幅方向に伝えるようにしたことを特徴とするテレスコープ型伸縮装置。
【請求項２】
前記棹部材は前記取付部を中心にして回動可能に設けられており、前記荷重部は前記棹部材に設けられた椅子に乗る使用者であり、前記棹部材の回動変位により前記使用者は休止位置と使用位置との間で移動可能に配されることを特徴とする請求項１に記載のテレスコープ型伸縮装置。
【請求項３】
浴室に断面略Ｌ字状のブラケットを介して取り付けられ、前記棹部材の回動変位に伴って、身体の不自由な使用者を前記椅子に乗せたまま浴槽に対して出入りさせるようになっていることを特徴とする請求項２に記載のテレスコープ型伸縮装置。
【発明の詳細な説明】
【技術分野】
【０００１】
本発明は、身体の不自由な使用者を椅子に乗せたまま浴槽に対して出入りさせることに用いることができ、介護用入浴補助具として有効なテレスコープ型伸縮装置に関する。
【背景技術】
【０００２】
この種のテレスコープ型伸縮装置にあっては、複数の筒をテレスコープ状に嵌合して全体が伸縮自在に構成された多段伸縮エヤーシリンダーが代表例として登場している（例えば、特許文献１参照）。この多段伸縮エヤーシリンダーでは、ゴムベローズにエアーを供給した時、ゴムベローズの膨張変位により複数の筒が押し上げられて高い上昇位置に到達するようにしている。この場合、筒の伸張時の高さが収縮時の高さに比して４倍にもなる記録を達成して昇降効率の優れたエヤーシリンダーを実現させている。
【特許文献１】特開２０００−１７０７１２号公報
【発明の開示】
【発明が解決しようとする課題】
【０００３】
ところが、特許文献１の多段伸縮エヤーシリンダーでは、筒の先端に棹部材を片持状態に取り付けて、身体の不自由な使用者を椅子に乗せて吊り上げる機構に適用すると、棹部材が筒の先端を支点として大きな曲げモーメントを受けるようになる。この際、曲げモーメントは、互いに摺動し合う筒に伝わり大きな曲げ力を及ぼす。伸張時の筒は、互いに僅かな寸法の周縁部で重なり合っているだけなので、筒は大きな曲げ力を受けて変形し、筒が重なり合った周縁部から外れて大きく変形してしまう虞がある。
【０００４】
本発明は上記の事情を考慮してなされたもので、その目的は片持状態の棹部材が大きな曲げモーメントを受けても、その曲げモーメントは幅広なスライダーにより十分に受け止められて、身体の不自由な使用者を椅子に乗せながら浴槽に対して出入りさせる介護用入浴補助具として好適となるテレスコープ型伸縮装置を提供することにある。
【課題を解決するための手段】
【０００５】
（請求項１について）
テレスコープ型シリンダーは、互いに径寸法の異なる剛体筒を伸縮自在に重ね合わせて構成されている。台座は、テレスコープ型シリンダーの端部に取り付けられている。外套筒は、台座に固定されてテレスコープ型シリンダーを囲むように設けられている。
エラストマー製のベローズは、テレスコープ型シリンダー内に略同軸的に配されている。非弾性体製の布筒部はベローズの外周に被せられて、ベローズの横方向の膨張変位を抑制する。幅広なスライダーは、外套筒の左右前後に取り付けられて軸方向に伸縮変位する。取付部はスライダーの先端部に取り付けられ、テレスコープ型シリンダーの頭部に対向する状態に位置している。
棹部材は、一端部が取付部に片持状態に取り付けられ、他端部が荷重部を負担するように設けられている。給排部材はベローズ内に対して作動流体を給排するように設けられている。テレスコープ型シリンダーの伸縮時、荷重部により棹部材に加わる曲げモーメントをスライダーの幅方向に伝えるようにしている。このため、片持状態の棹部材が大きな曲げモーメントを受けても、その曲げモーメントは幅広なスライダーにより十分に受け止められてテレスコープ型シリンダーの良好な機能を損なうことがなく維持でき、棹部材に設けた椅子に乗る身体の不自由な使用者を荷重部とした場合、使用者を椅子に乗せたまま浴槽に対して出入りさせる介護用入浴補助具として好適である。
【０００６】
（請求項２について）
棹部材は取付部を中心にして回動可能に設けられており、荷重部は棹部材に設けられた椅子に乗る使用者であり、棹部材の回動変位により使用者は休止位置と使用位置との間で移動可能に配されている。このため、棹部材を休止位置と使用位置との間で回動するといった簡単な操作で使用者を浴槽に対して出入れすることができ、介護負担を大幅に軽減することができる。
【０００７】
（請求項３について）
浴室に断面略Ｌ字状のブラケットを介して取り付けられ、棹部材の回動変位に伴って、身体の不自由な使用者を椅子に乗せたまま浴槽に対して出入りさせるようになっている。  この場合、テレスコープ型伸縮装置は、断面略Ｌ字状のブラケットにより浴室に簡易に取り付けられるので、必要が生じた時に家庭や個人用の浴室に後付けできる便宜が得られる。
【発明を実施するための最良の形態】
【０００８】
本発明のテレスコープ型伸縮装置では、棹部材は、一端部が取付部に片持状態に取り付けられ、他端部が使用者の体重を負担するように設けられている。給排部材はベローズ内に対して作動流体を給排するように設けられている。テレスコープ型シリンダーの伸縮時、使用者の体重により棹部材に加わる曲げモーメントをスライダーの幅方向に伝えるようにしている。これにより、片持状態の棹部材が大きな曲げモーメントを受けても、その曲げモーメントは幅広なスライダーにより十分に受け止められてテレスコープ型シリンダーの良好な機能を維持でき、身体の不自由な使用者を椅子に乗せたまま浴槽に対して出入りさせる介護用入浴補助具として好適となる。
【実施例１】
【０００９】
図１ないし図６に基づいて本発明の実施例１を説明する。
本発明のテレスコープ型伸縮装置１は、図１に示すように台座２上に伸縮可能なエラストマー製のベローズ３を気密あるいは液密状態に設けている。ベローズ３の外周には、織布あるいは不織布などからなる非弾性体製の布筒部３ａが適宜の被覆手段により被せられており、後述する水道水の供給を受けた場合、ベローズ３が横方向に不必要に膨張変位することを抑制している。台座２の中央環部２ａには、連通孔４がベローズ３の内部と連通するように設けられている。連通孔４は、給排部材を水道の蛇口とする水源（いずれも図示せず）に接続されており、蛇口から延出された三方向弁（いずれも図示せず）の操作により作動流体としての水道水の給排を受けるようになっている。
【００１０】
テレスコープ型シリンダー５は、図２に示すように台座２上にベローズ３を略同軸的に囲むように設けられており、互いに径寸法の異なる剛体筒６、７、８を伸縮摺動自在に重ね合わせて構成されている。最外側の剛体筒６および中間の剛体筒７の上端部は、ストッパＳ１、Ｓ２を備えている。中間の剛体筒７および最内側の剛体筒８の下端部は、下方に漸次拡開するテーパ部７ａ、８ａを形成する一方、ストッパＳ１、Ｓ２に対向する当接部Ｔ１、Ｔ２を取り付けている。テーパ部７ａ、８ａの形成により、ベローズ３が伸縮変位する際にベローズ３が剛体筒７、８の下端部に不用意に引っ掛からないようにしている。矩形の外套筒９は、台座２に固定されてテレスコープ型シリンダー５を略同軸的に囲繞するように設けられている。外套筒９の先端開口部は、互いに重なり合って収縮した剛体筒６、７、８の外部に位置するように配されている。
【００１１】
外套筒９における四カ所の各内側面部（左右前後）には、図３にも示すように二本ずつのスライダー１０が軸方向に沿って並列状態に設けられている。各スライダー１０は、長さ寸法に比較して幅広に設定されており、外側スライド部１０ａ、中間スライド部１０ｂおよび内側スライド部１０ｃからなっている。外側スライド部１０ａに対して中間スライド部１０ｂおよび内側スライド部１０ｃが伸縮摺動可能に設けられている。外側スライド部１０ａに対して中間スライド部１０ｂおよび内側スライド部１０ｃが上下方向に摺動変位することにより全体の高さ寸法を大小調節できるようになっている。取付部１１は、外套筒９に対して出没可能に設けられており、上半部を円筒状の枢支部１１ａとし、下半部を先端部としての内側スライド部１０ｃに固定するとともに、テレスコープ型シリンダー５の頭部に対向させている。
【００１２】
金属製の棹部材１２は、図４および図５に示すように取付部１１に片持状態で支持されるもので、一端部に段付き円柱状の支軸部１３を備え、他端部には使用者（図示せず）が座る椅子１４を荷重部として設けている。棹部材１２の支軸部１３は、図５に示すようにベアリング１３ａ、１３ｂ、１３ｃを介して取付部１１の枢支部１１ａに回動可能に嵌め込まれている。
テレスコープ型伸縮装置１は、家庭あるいは個人用の浴室Ｂｔに後付け可能に設けられており、後付け時に縦板部１５ａおよび横板部１５ｂから成る断面略Ｌ字状のブラケット１５を用いる。この際、ブラケット１５の縦板部１５ａを浴槽１６の擁壁部１６ａにクランプ部Ｋで固定し、上面部にテレスコープ型伸縮装置１の台座２を固定した横板部１５ｂを床部１７に設置する。
【００１３】
入浴時には、介護者（図示せず）の手助けを借りて、例えば身体の不自由な使用者を浴槽１６の外部となる休止位置で椅子１４に座らせる（図５の二点鎖線参照）。この時、使用者の体重により生じる曲げモーメントは、支軸部１３および取付部１１を介して前後のスライダー１０の幅方向に加わっている（図４の矢印Ｍ１−Ｍ２参照）。
三方向弁の操作により蛇口の水道水を連通孔４を介してべローズ３内に供給すると、べローズ３が水圧を受けて軸方向に伸張し、テレスコープ型シリンダー５の剛体筒８、７を上方に摺動させる。剛体筒８、７の摺動変位は、当接部Ｔ１がストッパＳ１に当接し、当接部Ｔ２がストッパＳ２に当接した位置で止まり（図２参照）、これらの当接力がべローズ３内の水圧と平衡する状態で拮抗する（図５参照）。
【００１４】
剛体筒８、７の摺動変位に伴い、スライダー１０の内側スライド部１０ｃ、中間スライド部１０ｂが外側スライド部１０ａに対して上方摺動し、取付部１１がスライダー１０に支えられながら上昇するため、椅子１４に乗せられた使用者が休止位置から棹部材１２を介して上昇変位する。この時、介護者の補助により棹部材１２を浴槽１６内に向けて使用位置に略９０度だけ回動する。
【００１５】
この状態では、図６に実線で示す位置に至っており、使用者の体重による曲げモーメントは、支軸部１３および取付部１１を介して左右のスライダー１０の幅方向に加わり（図４の矢印Ｎ１−Ｎ２参照）、椅子１４に乗せられた使用者が浴槽１６内の湯面上に位置している。そして、三方向弁の操作により、べローズ３内の水道水を連通孔４を介して外部に排出すると、ベローズ３が収縮してテレスコープ型シリンダー５の剛体筒８、７を下方に摺動させる。このため、取付部１１がスライダー１０の下方摺動を伴って下降し、棹部材１２を下方に降ろして使用者を椅子１４とともに浴槽１６の湯船に漬ける（図６の二点鎖線参照）。
【００１６】
なお、枢支部１１ａには、棹部材１２の支軸部１３に対して螺進退可能に設けたストッパ螺子１８が取り付けられており（図５および図６参照）、使用位置および休止位置でストッパ螺子１８を締め付けることにより、棹部材１２を固定して棹部材１２の不必要な回動変位を防ぐことができる。また、使用者を浴槽１６の湯船から休止位置に戻すには、上記と逆の手順を辿ればよい。
【００１７】
このように、上記構成では、テレスコープ型伸縮装置１を家庭や個人用の浴室Ｂｔに後付けした後、べローズ３、テレスコープ型シリンダー５、スライダー１０および取付部１１を介して棹部材１２を昇降変位させて使用者を湯船に漬けることができ、介護用入浴補助具として利用することができる。
また、テレスコープ型シリンダー５の伸縮時、使用者の体重による曲げモーメントは、棹部材１２から取付部１１を介してスライダー１０の幅方向に伝えるようにしている。このため、片持状態の棹部材１２が大きな曲げモーメントを受けても、その曲げモーメントは幅広なスライダー１０により十分に受け止められてテレスコープ型シリンダー５の良好な機能を損なうことがなく維持でき、身体の不自由な使用者を椅子１４に乗せたまま浴槽１６に対して出入りさせる介護用入浴補助具として好適となる。
しかも、ベローズ３の伸縮作動に水道水を作動流体として用いているので、油圧駆動装置や油圧シリンダーを適用するものと異なり、油汚れがなく油漏れ止めシール、パッキンや洗浄装置を使用することなく清潔・衛生状態を維持することができて好都合である。
【００１８】
なお、上記の実施例１では、外套筒９を矩形状に形成したが、円形、楕円形、五角形、六角形あるいは多角形に形成してもよい。スライダー１０は、外套筒９の左右前後に二本づつ設ける代わりに、幅寸法が倍尺となる幅広な単一のスライダーを外套筒９の左右前後に一個づつ取り付けるようにしてもよい。また、スライダー１０は、外側スライド部１０ａ、中間スライド部１０ｂおよび内側スライド部１０ｃの三段摺動に限らず、二段摺動あるいは四段摺動など使用状況に応じて所望の摺動段に設定することができる。また、ベローズ３に対して水道水を給排するようにしたが、水道水に代わって圧搾空気や窒素などのガス体を給排するようにしてもよい。また、テレスコープ型シリンダー５、外套筒９、スライダー１０や棹部材１２などの構成部品には、亜鉛鍍金やパーカライジングなどにより防錆処理を施すことができるものである。さらには、外套筒９の高さ寸法は、浴槽１６の擁壁部１６ａの高さ寸法と略同一になるように設定することもできる。
【産業上の利用可能性】
【００１９】
本発明のテレスコープ型伸縮装置における棹部材は、一端部が取付部に片持状態に取り付けられ、他端部が使用者の体重を負担するように設けられている。テレスコープ型シリンダーの伸縮時、使用者により棹部材に加わる曲げモーメントをスライダーの幅方向に伝えるようにしている。片持状態の棹部材が大きな曲げモーメントを受けても、その曲げモーメントは幅広なスライダーにより十分に受け止められてテレスコープ型シリンダーの良好な機能を維持でき、身体の不自由な使用者を椅子に乗せたまま浴槽に対して出入りさせる介護用入浴補助具として好適となる。このため、入浴時の介護負担を軽減できる利便性を求める需要者の増加に伴い、機械加工部品などの流通を介して機械産業界へ広く適用することがきる。
【図面の簡単な説明】
【００２０】
【図１】テレスコープ型伸縮装置の分解斜視図である（実施例１）。
【図２】テレスコープ型伸縮装置の側面図である（実施例１）。
【図３】棹部材を取り外した状態で示すテレスコープ型伸縮装置の平面図（実施例１）。
【図４】テレスコープ型伸縮装置の斜視図である（実施例１）。
【図５】浴槽に後付けしたテレスコープ型伸縮装置の縦断面図である（実施例１）。
【図６】浴槽に後付けしたテレスコープ型伸縮装置の側面図である（実施例１）。
【符号の説明】
【００２１】
１    テレスコープ型伸縮装置
２    台座
３    ベローズ
３ａ  布筒部
５    テレスコープ型シリンダー
６〜８  剛体筒
９    外套筒
１０  スライダー
１０ａ  外側スライド部
１０ｂ  中間スライド部
１０ｃ  内側スライド部
１１    取付部
１２    棹部材
１４    椅子
１５    ブラケット
１６    浴槽
１６ａ  擁壁部
Ｂｔ    浴室
【図１】
2006158680.tif 000003
【図２】
2006158680.tif 000004
【図３】
2006158680.tif 000005
【図４】
2006158680.tif 000006
【図５】
2006158680.tif 000007
【図６】
2006158680.tif 000008